(57)【要約】【課題】多くのコンビニエンスストア等に設置されている複合機を使用する顧客にとっては無為に過ごすしかなかったコピーが完了するまでの時間、またはファクシミリ送信が完了するまでの時間をコマーシャルメッセージを提供する時間として有効に利用する。【解決手段】スタートキー１４０が操作されてコピーまたはファクシミリ送信の開始指示が入力された場合に、コピーまたはファクシミリ送信が実行されると共に、音声メッセージメモリ７，画像メッセージメモリ１７がが記憶しているコマーシャルメッセージのデータがスピーカ９，表示部１５により再生出力され、顧客に提供される。【選択図】        図１
2004208239.tif 000002
【特許請求の範囲】
【請求項１】
原稿の画像を読み取る画像読取手段と、
該画像読取手段が読み取った原稿の画像を出力する画像出力手段と、
商業広告のための情報を記憶する記憶手段と、
画像出力動作の開始指示を受け付け、前記画像出力手段に画像出力動作を実行させる手段と、
画像出力動作の開始指示を受け付けた場合に、前記記憶手段が記憶している商業広告のための情報を再生出力する情報再生手段と
を備えたことを特徴とする原稿画像出力装置。
【請求項２】
前記情報再生手段は、前記画像出力手段による画像出力動作の終了時点またはそれ以前に商業広告のための情報の再生を終了するようにしてあることを特徴とする請求項１に記載の原稿画像出力装置。
【請求項３】
前記情報再生手段は、前記画像出力手段による画像出力動作の終了時点以後に商業広告のための情報の再生を終了するようにしてあることを特徴とする請求項１に記載の原稿画像出力装置。
【請求項４】
前記記憶手段は、再生時間が異なる複数の商業広告のための情報を記憶しており、
前記情報再生手段は、前記画像出力手段による画像出力動作に要する時間を予測し、この予測結果に基づいて前記再生時間が異なる複数の商業広告のための情報の内のいずれかを選択して再生するようにしてあることを特徴とする請求項１乃至３のいずれかに記載の原稿画像出力装置。
【請求項５】
前記画像出力手段は、前記情報再生手段が商業広告のための情報の再生を終了した時点またはそれ以後に画像出力動作を開始するようにしてあることを特徴とする請求項１に記載の原稿画像出力装置。
【請求項６】
前記画像出力手段は、前記情報再生手段が商業広告のための情報の再生を終了した時点またはそれ以後に画像出力動作を終了するようにしてあることを特徴とする請求項１に記載の原稿画像出力装置。
【請求項７】
前記情報再生手段は、商業広告のための情報の音声データを記憶した音声データ記憶手段と、該音声データ記憶手段が記憶している音声データを再生出力する音声発生部とを備えたことを特徴とする請求項１乃至６のいずれかに記載の原稿画像出力装置。
【請求項８】
前記原稿画像出力手段は、原稿の画像をハードコピーするコピー手段及び／又は原稿の画像をファクシミリ送信するファクシミリ通信手段であることを特徴とする請求項１乃至７のいずれかに記載の原稿画像出力装置。
【発明の詳細な説明】
【０００１】
【発明の属する技術分野】
本発明は原稿画像出力装置、具体的には、たとえば電子写真方式の画像形成装置を備え、少なくともコピー機としての機能と、ファクシミリ装置としてしての機能とを有するようなたとえば複合機に関し、より詳細には特にコンビニエンスストア等に設置されており、不特定多数の顧客が自身で原稿のコピーを行ない、または自身で原稿のファクシミリ送信を行なうような複合機能を有する装置に関する。
【０００２】
【従来の技術】
たとえば電子写真方式の画像形成装置を備え、コピー機，ファクシミリ装置，プリンタとしての機能を有する複合機が実用化されている。このような複合機は、個人ユーザまたは事業所において利用される他に、コイン投入式の課金装置を併設してコンビニエンスストア等に設置しておき、不特定多数の顧客が自身で原稿のコピーを行なったり、ファクシミリ送信を行なったりすることが可能なようにしたものも広く普及している。
【０００３】
ところで、上述のような複合機をコンビニエンスストア等に設置した場合には、コピーが完了するまで、またはファクシミリ送信が完了するまでの間、従来は顧客はただ時間が経過するのを待っているのみであった。
【０００４】
一方、たとえば特許文献１には、ファクシミリ装置においてファクシミリ機能と電話機能との切り換え動作中に音声のコマーシャルメッセージを再生して発信側に送信したり、予め設定した時刻または待機時間中にＣＤ等に格納された音楽をスピーカから再生する技術が開示されている。
【０００５】
また引用文献２には、宛先が広告電話サービスで送信可能である場合に、ファクシミリ送信開始前に、所定時間にわたって音声でコマーシャルメッセージを再生する技術が開示されている。
【０００６】
【特許文献１】
特開平９−３０７６６４号
【特許文献２】
特開２００１−１８９８０６号
【０００７】
【発明が解決しようとする課題】
しかしながら、上述の引用文献１，２に開示されている従来技術はいずれもファクシミリ送信の際の技術であると共に、特定のユーザ向けの技術であり、また引用文献２に開示されている技術は宛先が広告電話サービスを送信可能である場合に限定される。
【０００８】
一方、前述したようにコピー機とファクシミリ装置との機能を兼ね備えた複合機が多くのコンビニエンスストア等に設置されており、それを使用する顧客にとってはコピーが完了するまでの時間、またはファクシミリ送信が完了するまでの時間を無為に過ごすしかないという問題があった。
【０００９】
本発明はこのような事情に鑑みてなされたものであり、多くのコンビニエンスストア等に設置されている複合機を使用する顧客にとっては無為に過ごすしかなかったコピーが完了するまでの時間、またはファクシミリ送信が完了するまでの時間を商業広告のための情報、即ちコマーシャルメッセージを提供する時間として有効に利用することを可能とした複合機の提供を目的とする。
【００１０】
【課題を解決するための手段】
第１の発明に係る原稿画像出力装置は、原稿の画像を読み取る画像読取手段と、該画像読取手段が読み取った原稿の画像を出力する画像出力手段と、商業広告のための情報を記憶する記憶手段と、画像出力動作の開始指示を受け付け、前記画像出力手段に画像出力動作を実行させる手段と、画像出力動作の開始指示を受け付けた場合に、前記記憶手段が記憶している商業広告のための情報を再生出力する情報再生手段とを備えたことを特徴とする。
【００１１】
このような第１の発明では、画像出力動作（コピーまたはファクシミリ送信）の開始指示を受け付けた場合に、画像出力動作が実行されると共に、記憶手段が記憶している商業広告のための情報が再生出力され、顧客に提供される。
【００１２】
第２の発明に係る原稿画像出力装置は、第１の発明において、前記情報再生手段は、前記画像出力手段による画像出力動作の終了時点またはそれ以前に商業広告のための情報の再生を終了するようにしてあることを特徴とする。
【００１３】
このような第２の発明では、画像出力手段による画像出力動作（コピーまたはファクシミリ送信）の終了時点またはそれ以前に商業広告のための情報の再生が終了する。
【００１４】
第３の発明に係る原稿画像出力装置は、第１の発明において、前記情報再生手段は、前記画像出力手段による画像出力動作の終了時点以後に商業広告のための情報の再生を終了するようにしてあることを特徴とする。
【００１５】
このような第３の発明では、画像出力手段による画像出力動作（コピーまたはファクシミリ送信）の終了時点以後に商業広告のための情報の再生が終了する。
【００１６】
第４の発明に係る原稿画像出力装置は、第１乃至第３の発明において、前記記憶手段は、再生時間が異なる複数の商業広告のための情報を記憶しており、前記情報再生手段は、前記画像出力手段による画像出力動作に要する時間を予測し、この予測結果に基づいて前記再生時間が異なる複数の商業広告のための情報の内のいずれかを選択して再生するようにしてあることを特徴とする。
【００１７】
このような第４の発明では、画像出力手段による画像出力動作（コピーまたはファクシミリ送信）に要する時間が予測され、この予測結果に基づいて再生時間が異なる複数の商業広告のための情報の内のいずれかが選択されて再生されるため、上述の第２，第３発明の場合の商業広告のための情報の再生を終了させるタイミングが決定される。
【００１８】
第５の発明に係る原稿画像出力装置は、第１の発明において、前記画像出力手段は、前記情報再生手段が商業広告のための情報の再生を終了した時点またはそれ以後に画像出力動作を開始するようにしてあることを特徴とする。
【００１９】
このような第５の発明では、商業広告のための情報の再生が終了した時点またはそれ以後に画像出力動作（コピーまたはファクシミリ送信）が開始される。
【００２０】
第６の発明に係る原稿画像出力装置は、第１の発明において、前記画像出力手段は、前記情報再生手段が商業広告のための情報の再生を終了した時点またはそれ以後に画像出力動作を終了するようにしてあることを特徴とする。
【００２１】
このような第６の発明では、商業広告のための情報の再生が終了した時点またはそれ以後に画像出力動作が終了される。
【００２２】
第７の発明に係る原稿画像出力装置は、第１乃至第６の発明において、前記情報再生手段は、商業広告のための情報の音声データを記憶した音声データ記憶手段と、該音声データ記憶手段が記憶している音声データを再生出力する音声発生部とを備えたことを特徴とする。
【００２３】
このような第７の発明では、音声データ記憶手段が記憶している音声データが商業広告のための情報として再生出力される。
【００２４】
第８の発明に係る原稿画像出力装置は、第１乃至第７の発明において、前記原稿画像出力手段は、原稿の画像をハードコピーするコピー手段及び／又は原稿の画像をファクシミリ送信するファクシミリ通信手段であることを特徴とする。
【００２５】
このような第８の発明では、原稿の画像をハードコピーする機能と、原稿の画像をファクシミリ送信する機能とのいずれか一方を有するコピー装置又はファクシミリ装置として機能するか、または双方の機能を有する複合機として機能する。
【００２６】
【発明の実施の形態】
以下、本発明をその実施の形態を示す図面に基づいて詳述する。
【００２７】
図１は本発明に係る原稿画像出力装置としての複合機の機能構成例を示すブロック図である。本発明装置は、主制御部（ＣＰＵ）１を制御中枢としてバス２を介して以下のような各部の動作を制御する。
【００２８】
バス２には、主制御部１の制御手順（コンピュータプログラム）等を記録したＲＯＭ３、主制御部１による制御動作中に種々のデータを一時的に記憶するＲＡＭ（ＳＲＡＭ等）４、画像データを一時的に記憶する画像メモリ（ＤＲＡＭ等）５、画像メモリ５に記憶された画像データの符号化／復号化処理を行なうコーデック６、音声による商業広告のための情報、即ちコマーシャルメッセージが適宜の音声データ形式で予め記録されている音声メッセージメモリ（音声ＲＯＭ）７、画像によるコマーシャルメッセージが適宜の画像データ形式で予め記録されている画像メッセージメモリ（画像ＲＯＭ）１７、この音声メッセージメモリ７及び画像メッセージメモリ１７を制御して音声データ及び画像データを読み出してスピーカ９及び後述する表示部１５から再生出力させるメッセージ発生制御部８等が接続されている。
【００２９】
図２は上述の音声メッセージメモリ７及び画像メッセージメモリ１７に予め記録されている音声データ及び画像データを読み出すためにＲＯＭ３に予め設定されているメッセージデータテーブル３０の内容を示す模式図である。このメッセージデータテーブル３０には、音声メッセージメモリ７及び画像メッセージメモリ１７の共通のアドレスと、各アドレスに格納されているデータ名と、それぞれのデータのサイズとが記録されている。
【００３０】
なお、音声メッセージメモリ７及び画像メッセージメモリ１７はその記録内容を変更することを考慮して、たとえば容易に着脱可能なカード構造のメモリとするか、または公衆回線網、ＬＡＮ等を通じて書換え可能なように書換え可能な不揮発性の記憶装置、たとえばフラッシュメモリ等を利用することが望ましい。また、メッセージデータテーブル３０を記憶しているＲＯＭ３はこのような音声メッセージメモリ７及び画像メッセージメモリ１７の記録内容の更新に対応するため、書換え可能な不揮発性の記憶装置、たとえばフラッシュメモリ等を利用することが望ましい。
【００３１】
またバス２には、一般アナログ回線等の外部（公衆）通信網にデータを送受信するための変復調機能を備えたモデム１０、このモデム１０と外部（公衆）通信網とを接続する場合に通信相手を呼び出すためにダイヤル信号を送出する機能を備えたＮＣＵ（網制御部）１１、コピーすべき原稿またはファクシミリ送信すべき原稿をデジタルデータの画像データとして読み取る画像読取部１２、コピーすべき原稿を読み取った場合にその画像データを、またはファクシミリ通信により受信した画像データを用紙に記録出力するプリンタ（画像記録部）１３、テンキー及びボタン等を備え、これらの操作が行なわれた場合に対応する信号を入力する操作部１４、使用方法の案内、処理状態の途中経過等の状況表示又は操作確認を表示すると共に、前述の画像メッセージメモリ１７に記録されている画像メッセージをも表示するための表示部（たとえばＬＣＤ等）１５、ＬＡＮ等の通信網に接続するためのＬＡＮＩ／Ｆ１６等が接続されている。
【００３２】
なお、画像メモリ５は一般的なＤＲＡＭを使用しているが、高速処理が可能なＳＤＲＡＭ又はＤＤＲ―ＳＤＲＡＭ等である方が画像形成装置のスループット向上のためには好ましい。
【００３３】
また、画像読取部１２は、複数の原稿を自動的かつ連続的に読み取るためにＡＤＦ（Automatic Document Feeder)を備えているものとする。
【００３４】
また、操作部１４にはコピー部数を入力するため、またはファクシミリ送信の際の宛先の電話番号（ファクシミリ番号）を入力するためのテンキーが備えられていることは言うまでもないが、コピー動作の開始、またはファクシミリ送信の開始を指示するためのスタートキー１４０も備えられている。
【００３５】
次に、上述のような構成の本発明装置の動作について以下に説明するが、本発明装置はコンビニエンスストア等の不特定多数の顧客がコイン投入式のような課金装置により料金を支払って利用することが可能な施設に設置されているものとする。
【００３６】
まず、複数の原稿が画像読取部１２のＡＤＦにセットされてコピー（又はファクシミリ送信）される場合の主制御部１による処理手順について図３に示すフローチャートを参照して説明する。
【００３７】
顧客が複数（１枚でもよい）の原稿を画像読取部１２のＡＤＦにセットした後、コピー部数（デフォルトは１部に設定されており、特に部数指定を行なわない場合は１部が自動的に設定される）を指定するか、または送信先を指定し、スタートキー１４０を操作することにより、原稿のコピー（又はファクシミリ送信）が開始されるが、主制御部１はスタートキー１４０が操作されることによるコピー開始指示（又はファクシミリ送信開始指示）を待機している（ステップＳ１１でＮＯ）。
【００３８】
スタートキー１４０が操作されてコピー開始指示（又はファクシミリ送信開始指示）が操作部１４から入力されると（ステップＳ１１でＹＥＳ）、主制御部１は画像読取部１２のＡＤＦを駆動して全原稿の読み取りを行なう（ステップＳ１２）。この際同時に主制御部１は原稿を計数する。
【００３９】
主制御部１は画像読取部１２により読み取られた原稿の画像データを一旦画像メモリ５に格納しつつ、コピーが指示されている場合は先入れ先出し方式でプリンタ１３へデータを出力してプリント動作、具体的には用紙へのハードコピーを行ない、ファクシミリ送信が指示されている場合は先入れ先出し方式でコーデック６でファクシミリ通信方式にデータ変換を行なってファクシミリ送信を行なう（ステップＳ１３）。
【００４０】
このようなプリント動作（又はファクシミリ送信動作）を行ないつつ、主制御部１はジョブ実行時間を算出する（ステップＳ１４）。具体的には、先のステップＳ１２での全原稿読み取りに際して主制御部１は原稿枚数を計数しているので、コピー動作が指示されている場合はこの原稿枚数とコピー部数とからプリンタ１３でのプリント動作に要する時間を算出する。また、ファクシミリ送信動作が指示されている場合は原稿枚数と通信速度とからファクシミリ送信に要する時間を算出する。これらのジョブ実行時間の算出は、予めＲＯＭ３に格納されている必要な情報、具体的には用紙サイズ毎に１枚のハードコピーに要する時間、用紙サイズ毎及び通信速度毎に１枚の送信に要する時間等の情報に基づいて容易に可能である。
【００４１】
このようにしてジョブ実行時間が算出されると、主制御部１は次にメッセージデータテーブル３０の内容を参照してコマーシャルメッセージの選択を行なう（ステップＳ１５）。具体的には、ジョブ実行時間が５秒未満の場合には主制御部１は音声データも画像データも選択しない。ジョブ実行時間が５秒以上で１５秒未満の場合には主制御部１はアドレス「００１」の音声データ及び画像データを選択する。ジョブ実行時間が１５秒以上で３０秒未満の場合には主制御部１はアドレス「００２」の音声データ及び画像データを選択する。ジョブ実行時間が３０秒以上で１分以下の場合には主制御部１はアドレス「００３」の音声データ及び画像データを選択する。
【００４２】
このようにして主制御部１が音声データ及び画像データを選択することにより、メッセージ発生制御部８の制御により、選択されている音声データが音声メッセージメモリ７から読み出されてスピーカ９から再生発声されると共に選択されている画像データが画像メッセージメモリ１７から読み出されて表示部１５に再生表示される（ステップＳ１６）。
【００４３】
なお、ジョブ実行時間が１分以上の場合には主制御部１はアドレス「００４」の音声データ及び画像データと更に他の音声データ及び画像データ、たとえばジョブ実行時間が１分２０秒である場合にはアドレス「００２」の音声データ及び画像データとの双方を選択し、両音声データ及び画像データを連続して再生するようにしてもよい。
【００４４】
但し、上述のような主制御部１による音声データの選択手法は一例であって、たとえばジョブ実行時間が１５秒未満の場合に主制御部１がアドレス「００２」の音声データ及び画像データを選択するようにしてもよい。この場合には、ジョブ終了時点、即ち顧客が指示したコピー（又はファクシミリ送信）が終了した後にも暫くの間はコマーシャルメッセージの再生が音声及び画像により継続されるが、その間、通常は顧客は出力されたコピー用紙を手に取って確認する等のためにその場に留まっているので、コマーシャルメッセージの効果は持続する。
【００４５】
以上のような主制御部１の制御により、顧客が画像読取部１２のＡＤＦに原稿をセットしてそれが読み取られた時点からコピー（又はファクシミリ送信）が終了する時点とほぼ同時の時点までコマーシャルメッセージが再生される。
【００４６】
次に、複数枚の原稿がコピー（又はファクシミリ送信）される場合であって、原稿枚数を顧客が自身で入力する場合のの主制御部１による処理手順について図４に示すフローチャートを参照して説明する。このような原稿枚数を顧客が自身で入力する場合とは、コンビニエンスストア等に設置されていて不特定多数の顧客がコイン投入式の課金装置で料金を前払いしてコピー（又はファクシミリ送信）を行なう場合、予め顧客が希望原稿枚数を入力し、それに対応する料金が投入された場合にのみコピー（又はファクシミリ送信）が可能になるようにしてあることが多いためである。
【００４７】
まず、顧客が原稿を画像読取部１２のＡＤＦにセットして原稿枚数を操作部１４のテンキーを操作して入力すると、主制御部１は入力された原稿枚数を受け付ける（ステップＳ２１）。そして、コピーの場合には顧客がコピー部数（デフォルトは１部に設定されており、特に部数指定を行なわない場合は１部が自動的に設定される）を指定して、ファクシミリ送信の場合には送信先の電話番号を指定して、スタートキー１４０を操作することにより、原稿のコピー（又はファクシミリ送信）が開始されるが、主制御部１はスタートキー１４０が操作されることによるコピー開始指示（又はファクシミリ送信指示）を待機している（ステップＳ２２でＮＯ）。
【００４８】
なおこの際、顧客が入力した原稿枚数，コピー部数に対応する金額が課金装置に投入されていない場合には、主制御部１は料金不足であることを表示部１５に表示するか、スピーカ９から音声で警告するか、または両者を併用して顧客に注意を促す。
【００４９】
スタートキー１４０が操作されてコピー開始指示（又はファクシミリ送信開始指示）が操作部１４から入力されると（ステップＳ２２でＹＥＳ）、主制御部１は画像読取部１２のＡＤＦを駆動して全原稿の読み取りを行ない、読み取られた原稿の画像データを一旦画像メモリ５に格納しつつ、コピーが指示されている場合は先入れ先出し方式でプリンタ１３へデータを出力してプリント動作、具体的には用紙へのハードコピーを行ない、ファクシミリ送信が指示されている場合は先入れ先出し方式でコーデック６でファクシミリ通信方式にデータ変換を行なってファクシミリ送信を行なう（ステップＳ２３）。
【００５０】
このようなプリント動作（又はファクシミリ送信動作）を行ないつつ、主制御部１はスタートキー１４０が操作された時点でジョブ実行時間を算出する（ステップＳ２４）。具体的には、先のステップＳ２１での顧客自身により入力された原稿枚数（及び部数）からプリンタ１３でのプリント動作（又はファクシミリ送信動作）に要する時間を算出することは前述の図３のフローチャートに示した場合と同様である。
【００５１】
このようにしてジョブ実行時間が算出されると、主制御部１は次にメッセージデータテーブル３０の内容を参照してコマーシャルメッセージの選択を行ない（ステップＳ２５）、選択した音声データのアドレスをメッセージ発生制御部８に与えることにより、コマーシャルメッセージをスピーカ９及び表示部１５から再生させる（ステップＳ２６）。これらの処理は前述の図３のフローチャートに示した場合と同様であるので、説明は省略する。
【００５２】
次に、コピー開始指示が入力された後、即ちスタートキー１４０が操作された後にコマーシャルメッセージを再生し、その後にコピー動作（又はファクシミリ送信動作）を開始する場合について、主制御部１による処理手順を図５に示すフローチャートを参照して説明する。このようなコピー動作（ファクシミリ送信動作）に先立ってコマーシャルメッセージを再生する場合、顧客は強制的にコマーシャルメッセージを聞かされることになる。しかし、顧客は既にスタートキー１４０を操作しているため、従来同様の待ち時間の一部であると認識して待機することになる。
【００５３】
まず、前述した図３または図４の場合のいずれであったとしても、顧客が原稿を画像読取部１２のＡＤＦにセットしてスタートキー１４０を操作することにより原稿のコピー（又はファクシミリ送信）が開始されるが、主制御部１はスタートキー１４０が操作されることによるコピー開始指示（又はファクシミリ送信開始指示）を待機している（ステップＳ３１でＮＯ）。
【００５４】
スタートキー１４０が操作されてコピー開始指示（ファクシミリ送信開始指示）が操作部１４から入力されると（ステップＳ３１でＹＥＳ）、主制御部１は予め定められている適宜のコマーシャルメッセージ、たとえばアドレスが「００２」の１５秒程度のコマーシャルメッセージを音声メッセージメモリ７及び画像メッセージメモリ１７からメッセージ発生制御部８に読み出させてスピーカ９及び表示部１５に再生させる（ステップＳ３２）。そしてこのコマーシャルメッセージの再生が終了すると（ステップＳ３３でＹＥＳ）、主制御部１は前述同様にしてコピー動作（又はファクシミリ送信動作）を実行する（ステップＳ３４）。
【００５５】
なお、このようにコピー動作（又はファクシミリ送信動作）開始前にコマーシャルメッセージを再生する場合には、その時点の時刻、季節等に応じたコマーシャルメッセージを再生するようにしてもよい。
【００５６】
次に、コピー開始指示が入力された後、即ちスタートキー１４０が操作された後にコマーシャルメッセージを再生し、このコマーシャルメッセージの再生が終了した後にコピー動作（又はファクシミリ送信動作）を終了する場合について、主制御部１による処理手順を図６に示すフローチャートを参照して説明する。このようにコマーシャルメッセージの再生が終了した後にコピー動作（ファクシミリ送信動作）を終了させるようにすると、コピー枚数又はファクシミリ送信枚数が少ないためにコマーシャルメッセージの効果が期待できないような場合にもコマーシャルメッセージを顧客に十分に提供することが可能になる。但し、顧客はコピー動作（ファクシミリ送信動作）が終了した後も顧客は強制的にコマーシャルメッセージを聞かされることになるが、コピー動作（ファクシミリ送信動作）が未だ終了していないと認識して待機することになる。
【００５７】
まず、前述した図３または図４の場合のいずれであったとしても、顧客が原稿を画像読取部１２のＡＤＦにセットしてスタートキー１４０を操作することにより原稿のコピー（又はファクシミリ送信）が開始されるが、主制御部１はスタートキー１４０が操作されることによるコピー開始指示（又はファクシミリ送信開始指示）を待機している（ステップＳ４１でＮＯ）。
【００５８】
スタートキー１４０が操作されてコピー開始指示（ファクシミリ送信開始指示）が操作部１４から入力されると（ステップＳ４１でＹＥＳ）、主制御部１は予め定められている適宜のコマーシャルメッセージ、たとえばアドレスが「００３」の３０秒程度のコマーシャルメッセージを音声メッセージメモリ７及び画像メッセージメモリ１７からメッセージ発生制御部８に読み出させてスピーカ９及び表示部１５に再生させると共に、前述同様にしてコピー動作（又はファクシミリ送信動作）を実行する（ステップＳ４２）。そしてこのコマーシャルメッセージの再生が終了すると（ステップＳ４３でＹＥＳ）、主制御部１はコピー動作（又はファクシミリ送信動作）を終了する（ステップＳ４４）。
【００５９】
なお、このようにコマーシャルメッセージの再生終了後にコピー動作（又はファクシミリ送信動作）を終了させるためには、コピー動作（又はファクシミリ送信動作）の実行時間をコマーシャルメッセージの再生時間に合わせて調整する処理を行なえばよい。このような処理は、具体的な一例としては、コピーが指示されている場合はたとえばハードコピー後のコピー用紙を装置内で一時的に停止させておく等の処理を行なえばよく、またファクシミリ送信が指示されている場合はたとえば原稿を画像読取部１２内で一時的に停止させておく等の処理を行なえばよい。
【００６０】
【発明の効果】
以上に詳述したように本発明の第１の発明に係る原稿画像出力装置によれば、画像出力動作（コピーまたはファクシミリ送信）の開始指示を受け付けた場合に、画像出力動作が実行されると共に、記憶手段が記憶している商業広告のための情報（コマーシャルメッセージ）が再生出力され、顧客に提供される。従って、コマーシャルメッセージのスポンサーに料金の一部を負担させることにより、顧客は安価にコピー（又はファクシミリ送信）を利用することが可能になる。
【００６１】
また、本発明の第２の発明に係る原稿画像出力装置によれば、画像出力手段による画像出力動作（コピーまたはファクシミリ送信）の終了時点またはそれ以前に商業広告のための情報（コマーシャルメッセージ）の再生が終了するため、顧客はコピー（又はファクシミリ送信）が終了した後にまでコマーシャルメッセージを視聴する必要が無い。
【００６２】
更に、本発明の第３の発明に係る原稿画像出力装置によれば、画像出力手段による画像出力動作（コピーまたはファクシミリ送信）の終了時点以後に商業広告のための情報（コマーシャルメッセージ）の再生が終了するので、原稿枚数が少ない場合にも十分にコマーシャルメッセージを顧客に視聴させることが可能になる。
【００６３】
また、本発明の第４の発明に係る原稿画像出力装置によれば、画像出力手段による画像出力動作（コピーまたはファクシミリ送信）に要する時間が予測され、この予測結果に基づいて再生時間が異なる複数の商業広告のための情報（コマーシャルメッセージ）の内のいずれかが選択されて再生されるため、上述の第２，第３発明の場合のコマーシャルメッセージの再生を終了させるタイミングを適切に決定することが可能になる。即ち、画像出力動作に実行時間に応じて適切な再生時間のコマーシャルメッセージを再生することが可能になる。
【００６４】
更に、本発明の第５の発明に係る原稿画像出力装置によれば、商業広告のための情報（コマーシャルメッセージ）の再生が終了した時点またはそれ以後に画像出力動作（コピーまたはファクシミリ送信）が開始されるため、原稿枚数が少ない場合にも十分にコマーシャルメッセージを顧客に視聴させることが可能になる。
【００６５】
また更に、本発明の第６の発明に係る原稿画像出力装置によれば、商業広告のための情報（コマーシャルメッセージ）の再生が終了した時点またはそれ以後に画像出力動作が終了されるため、原稿枚数が少ない場合にも十分にコマーシャルメッセージを顧客に視聴させることが可能になる。
【００６６】
更にまた、本発明の第７の発明に係る原稿画像出力装置によれば、音声データ記憶手段が記憶している音声データが商業広告のための情報（コマーシャルメッセージ）として再生出力されるため、顧客に確実にコマーシャルメッセージを音声として提供することが可能になる。
【００６７】
また更に、本発明の第８の発明に係る原稿画像出力装置によれば、原稿の画像をハードコピーする機能と、原稿の画像をファクシミリ送信する機能とのいずれか一方を有するコピー装置又はファクシミリ装置として機能するか、または双方の機能を有する複合機として機能する。
【図面の簡単な説明】
【図１】本発明に係る原稿画像出力装置としての複合機の機能構成例を示すブロック図である。
【図２】本発明に係る原稿画像出力装置の音声メッセージメモリ及び画像メッセージメモリに予め記録されている音声データ及び画像データを読み出すためにＲＯＭに予め設定されているメッセージデータテーブルの内容を示す模式図である。
【図３】本発明に係る原稿画像出力装置の処理手順を示すフローチャートである。
【図４】本発明に係る原稿画像出力装置の処理手順を示すフローチャートである。
【図５】本発明に係る原稿画像出力装置の処理手順を示すフローチャートである。
【図６】本発明に係る原稿画像出力装置の処理手順を示すフローチャートである。
【符号の説明】
１    主制御部
６    コーデック
７    音声メッセージメモリ
８    メッセージ発生制御部
９    スピーカ
１０  モデム
１１  ＮＣＵ
１３  プリンタ
１４  操作部
１５  表示部
１７  画像メッセージメモリ
３０  メッセージデータテーブル
１４０  スタートキー
【図１】
2004208239.tif 000003
【図２】
2004208239.tif 000004
【図３】
2004208239.tif 000005
【図４】
2004208239.tif 000006
【図５】
2004208239.tif 000007
【図６】
2004208239.tif 000008